(57)【要約】      （修正有）【課題】日常生活において活動量計と磁気治療器とを忘れずに身体に携えることができるようにするとともに、磁気治療による健康増進とウオーキングにおける健康管理をともに行うことができる活動量計を提供する。【解決手段】手首ないし前腕部に装着するバンド本体１０のほぼ中央に膨出部２５を形成し、当該膨出部に形成したキャビティ部Ｃ内に、装着者の活動量を検出する加速度センサ２３と、当該加速度センサ２３から出力される加速度信号を演算処理する処理回路２２と、当該処理回路２２で演算処理した消費カロリなどのデータを表示する表示部２１を具備してなる電装部と、磁力線を発する磁石３０を配設するようにした。【選択図】図３
0003196839.tif 000002
【実用新案登録請求の範囲】
【請求項１】
磁気治療効果を生じるための磁石を備えていることを特徴とする活動量計。
【請求項２】
前記活動量計は手首に装着するためのバンド本体を備えていることを特徴とする請求項１に記載の活動量計。
【請求項３】
前記磁石は前記バンド本体に配設されていることを特徴とする請求項２に記載の活動量計。
【請求項４】
手首ないし前腕部に装着するバンド本体のほぼ中央に膨出部を形成し、当該膨出部に形成したキャビティ部内に、装着者の活動量を検出する加速度センサと、当該加速度センサから出力される加速度信号を演算処理する処理回路と、当該処理回路で演算処理した消費カロリなどのデータを表示する表示部を具備してなる電装部と、磁力線を発する磁石を配設したことを特徴とする活動量計。
【請求項５】
手首ないし前腕部に装着するバンド本体のほぼ中央に膨出部を形成し、当該膨出部に形成したキャビティ部内に、装着者の活動量を検出する加速度センサと、当該加速度センサから出力される加速度信号を演算処理すると共に、演算処理して得たデータを外部端末に送信する通信機能を付加した処理回路を具備してなる電装部と、磁力線を発する磁石を配設したことを特徴とする活動量計。
【請求項６】
バンド本体がシリコン樹脂によって一体に形成されている請求項２ないし請求項５の何れかに記載の活動量計。
【請求項７】
磁石が前記バンド本体における前記キャビティ部以外の部分に配設されていることを特徴とする請求項３に記載の活動量計。
【考案の詳細な説明】
【技術分野】
【０００１】
本考案は磁気治療効果を有する活動量計に関する。
【背景技術】
【０００２】
近年、中高年齢層を中心に健康管理を行うための歩数計を含めた活動量計が着目され、多彩な機能を搭載したものが既に市販されている。
【０００３】
一方、手首などに磁気を帯びた腕リングを装着して磁気治療効果をもたらす磁気治療腕リングが次に示す特許文献１に開示されている。
【先行技術文献】
【特許文献】
【０００４】
【特許文献１】実用新案登録第３０００１９６号公報
【考案の概要】
【考案が解決しようとする課題】
【０００５】
健康増進のため、日常生活において活動量計と磁気治療器とを忘れずに身体に携えることはなかなか難しいことである。また、活動量計と磁気治療器の両方を携えて日常生活を行うのは煩わしいといった側面もある。
本考案は上記課題を解決するため活動量計に磁気治療機能を付加し、磁気治療による健康増進とウオーキングなど日常の活動における健康管理を同時に行うことができる活動量計を提供することを目的とするものである。
【課題を解決するための手段】
【０００６】
上記課題を解決するため、本考案に係る活動量計は下記記載の構成を採用する。
【０００７】
すなわち、請求項１に係る考案は、磁気治療効果を生じるための磁石を備えていることを特徴とする活動量計である。
【０００８】
請求項２に係る考案は、前記活動量計は手首に装着するためのバンド本体を備えていることを特徴とする請求項１に記載の活動量計である。
【０００９】
請求項３に係る考案は、前記磁石は前記バンド本体に配設されていることを特徴とする請求項２に記載の活動量計である。
【００１０】
請求項４に係る考案は、手首ないし前腕部に装着するバンド本体のほぼ中央に膨出部を形成し、当該膨出部に形成したキャビティ部内に、装着者の活動量を検出する加速度センサと、当該加速度センサから出力される加速度信号を演算処理する処理回路と、当該処理回路で演算処理した消費カロリなどのデータを表示する表示部を具備してなる電装部と、磁力線を発する磁石を配設したことを特徴とする活動量計である。
【００１１】
請求項５に係る考案は、手首ないし前腕部に装着するバンド本体のほぼ中央に膨出部を形成し、当該膨出部に形成したキャビティ部内に、装着者の活動量を検出する加速度センサと、当該加速度センサから出力される加速度信号を演算処理すると共に、演算処理して得たデータを外部端末に送信する通信機能を付加した処理回路を具備してなる電装部と、磁力線を発する磁石を配設したことを特徴とする活動量計である。
【００１２】
また、請求項６に係る考案は、前記バンド本体がシリコン樹脂によって一体に形成されている請求項２ないし請求項５の何れかに記載の活動量計である。
【００１３】
さらに、請求項７に係る考案は、磁石が前記バンド本体における前記キャビティ部以外の部分に配設されていることを特徴とする請求項３に記載の活動量計である。
【考案の効果】
【００１４】
上述のように、本考に係る活動量計によれば、活動量計と磁気治療器とを併せて身体に携えることが可能となり、磁気治療による健康増進とウオーキングにおける健康管理をともに行うことができる活動量計が実現する。
また、活動量計と磁気治療器の両方を別々に携え日常活動を行うといった煩わしさを解消することができる。
【図面の簡単な説明】
【００１５】
【図１】本考案に係る活動量計の一実施形態を示す外観図である。
【図２】図１に示す活動量計の構造を示す平面図である。
【図３】図１に示す活動量計の内部構造を示す断面図である。
【図４】図１に示す活動量計の使用状態を示す説明図である。
【図５】図１に示す活動量計の効果を示す説明図である。
【図６】本考案に係る活動量計の他の実施形態を示す外観図である。
【図７】図６に示す活動量計の構造を示す平面図である。
【図８】図６に示す活動量計の内部構造を示す断面図である。
【図９】本考案に係る活動量計のさらに他の実施形態を示す断面図である。
【考案を実施するための形態】
【００１６】
本考案は磁気治療効果を有する活動量計に関するものである。
以下に示す実施形態は、本考案の技術思想を具体化するための活動量計の一例を示すものであって、本考案は以下の説明及び図示したものに限定されないのは云うまでもない。特に、実施の形態に示されている構成要素の形状、相対的位置関係などは、特定的な記載がなされていない限り、本考案の範囲をそれのみに限定する趣旨ではなく、単なる説明例に過ぎない。また、各図が示す部材の大きさや位置関係などは説明を明確にするために誇張していることがある。
【００１７】
以下、図１〜図３を用いて本考案の第１実施形態における活動量計１の構造を詳述する。
図１は第１実施形態における活動量計１の外観図であり、図２は活動量計１の中央部分の平面図、図３は活動量計１の中央部分の断面図である。
【００１８】
図１に示すように、本考案に係る活動量計１は腕時計のような外観形態を有している。図中１０はシリコン樹脂で形成したバンド本体を示し、当該バンド本体１０のほば中央に形成した膨出部２５の表面側に歩数や消費カロリ（Ｋｃａｌ）を表示する表示部２１を備えている。なお、バンド本体１０の一方の端部には突起などからなる止め具１１が設けられており、バンド本体１０の他方の端部には、前記止め具１１を嵌入するためのバンド穴１２が形成されており、使用する者の手首などの太さに応じて留め位置を適宜選択する。このバンド本体１０の留め位置の調整手段は他の公知の係止手段に置き換えることができるのは勿論である。
【００１９】
次に、図２および図３を用いて活動量計１の構造を詳述する。図２および図３に示すように、活動量計１はバンド本体１０を備えており、バンド本体１０のほぼ中央には膨出部２５が設けられている。
当該膨出部２５には、キャビティ部Ｃと開口部Ｗとが設けられており、キャビティ部Ｃには、装着する者の活動を検出する加速度センサ２３、処理回路２２、表示部２１および電池２４とを備えた電装部２０が配設されていると共に、当該電装部２０とほぼ同型状をなす磁石３０が手首Ｌの側に位置するように、積層して収納してある。バンド本体１０はシリコン樹脂を材料としているので、シリコンの弾性によって電装部２０と磁石３０とはバンド１０のキャビティ部Ｃの内部に隙間なく保持される。
【００２０】
図３を用いて電装部２０および磁石３０について説明する。電装部２０は、人の運動量を測定する機能モジュールであって、加速度センサ２３から出力される加速度信号を処理回路２２で演算処理し、表示部２１にて歩数や消費カロリ（ｋｃａｌ）などを表示する。電池２４は電装部２０を駆動するためのボタン型電池である。また磁石３０は電装部２０全体とほぼ同型状の永久磁石であって、Ｎと示す面をＮ極に、Ｓと示す面をＳ極に、ほぼ１００ミリテスラの磁束密度を有するように磁化している。また本実施例では電装部２０および磁石３０の形状は何れも円盤状となっている。
【００２１】
次に、図４を用いて活動量計１の使用方法を説明する。図４は、活動量計１の使用方法の一例を示す外観図である。図４に示すように、使用者は、活動量計１を腕時計のようにバンド本体１０を前腕部Ｕないし手首Ｌに装着する。使用者は表示部２１によって歩数や消費カロリ（Ｋｃａｌ）を認識し、かつ表示部２１の裏面に配設した磁石（図示せず）で磁気治療効果を得ることができる。
【００２２】
図５を用いて活動量計１の効果を説明する。図５は本考案に係る活動量計１の効果を説明する断面図である。図５に示すように活動量計１を使用者の手首Ｌに装着すると、手首Ｌに磁石３０からの磁力線Ｍが作用し、一般に磁気治療として知られている効果が使用者にもたらされる。
使用者は、活動量計１を装着していれば歩数や消費カロリなどの測定結果と、磁気治療効果の両方を得ることができる。すなわち、いずれか一方の装着を失念するというトラブルを解消することができる。
【００２３】
次に、図６〜図８を用いて本考案の第２実施形態における活動量計２の構造を説明する。
図６は第２実施形態における活動量計２の外観図であり、図７は活動量計２における中央部分の平面図、図８は活動量計２の中央部分の内部構造を示す断面図である。この第２実施形態における活動量計２は、開口部Ｗの位置と磁石の配設位置と、電装部２０ａが表示部２１を備えていないという点で、第１実施形態における活動量計１と異なる。
【００２４】
図６に示すように、活動量計２は腕時計状の形状をなし、シリコ樹脂で形成したバンド本体１０を、止め具１１と、バンド穴１２とで手首などに装着する。
この第２実施形態における活動量計２は、処理回路２２ａによって演算処理された歩数や消費カロリ（Ｋｃａｌ）などのデータを表示する表示部が設けられておらず、歩数や消費カロリなどの活動量に関する測定結果は、後述する処理回路２２ａが備えた送信機能によって外部のパソコンや情報端末（図示せず）に送信され、当該情報端末などの表示部に表示されるようになっている。
【００２５】
図７および図８を用いて活動量計２の構造を詳述する。図７および図８に示すように、活動量計２はバンド本体１０を備えており、バンド本体１０の中央部に形成した膨出部２５にキャビティ部Ｃと開口部Ｗとが設けられている。なお、開口部Ｗは、第１実施形態における活動量計１の開口部Ｗの反対側、すなわち、手首などに接する側に設けられている。
【００２６】
図８に示すように、キャビティ部Ｃには、加速度センサ２３、当該加速度センサ２３から出力される加速度信号を演算処理する処理回路２２ａおよび電池２４とからなる電装部２０ａと、磁石３１および磁石３２とが収納されている。処理回路２２ａは歩数や消費カロリ（Ｋｃａｌ）などのデータを外部に送信する送信機能（図示せず）を有している。なお、通信手段は無線通信の国際規格であるＮＦＣ（Ｎｅａｒ  Ｆｉｅｌｄ  Ｃｏｍｍｕｎｉｃａｔｉｏｎ）に基づく非接触近距離通信技術が好適に用いられる。また、前記磁石３１および磁石３２は、何れもＮと示す面をＮ極に、Ｓと示す面をＳ極に、磁束密度ほぼ５０ミリテスラになるように磁化されている。
【００２７】
なお、この第２の実施形態における活動量計２においては、全体形状が円盤状をなす電装部２０ａの外周部に２個の永久磁石３１，３２を配設してあるが、当該磁石の数を４個あるいは６個以上に増やすことができるのは勿論である。
【００２８】
第２実施形態における活動量計２のその他の構造および使用方法ならびに効果については前記した第１実施形態における活動量計１とほぼ同等であるので、詳細な説明は省略する。
【００２９】
次に、図９を用いて本考案の第３実施形態における活動量計３の構造を説明する。図９は第３実施形態における活動量計３の断面図である。この第３実施形態における活動量計３は、磁石の配設位置が第２実施形態における活動量計２と異なる。
【００３０】
図９に示すように、バンド本体１０の膨出部２５に形成したキャビティ部Ｃ内には電装部２０ａのみ収納され、磁石３３および磁石３４は、バンド本体１０のキャビティ部Ｃから外れた部分に封入されている。
なお磁石の数をさらに増加し、バンド本体１０の他の領域に分布して収納させるようにすることも磁気治療効果を高める上できわめて有効である。
【００３１】
前記第３実施形態における活動量計３のその他の構造および使用方法ならびに効果については第１実施形態における活動量計１、あるいは第２実施形態における活動量計２とほぼ同等であるので、説明は省略する。
【００３２】
以上述べたように、本発明の第１〜第３実施形態における活動量計１〜３によれば、活動量計と磁気治療器とを同時に身体に携えることが可能となり、磁気治療による健康増進とウオーキングにおける健康管理をともに行うことができる活動量計が実現する。すなわち、いずれか一方の装着を失念するといったトラブルを解消することができる。
【符号の説明】
【００３３】
１，２，３：活動量計
１０：バンド本体
１１：止め具
１２：バンド穴
２０，２０ａ：電装部
２１：表示部
２２，２２ａ：処理回路
２３：加速度センサ
２４：電池
２５：膨出部
３０，３１，３２，３３，３４：磁石
Ｎ：Ｎ極
Ｓ：Ｓ極
Ｌ：手首
Ｕ：上腕部
Ｃ：キャビティ部
Ｗ：開口部
Ｍ：磁力線
【図１】
0003196839.tif 000003
【図２】
0003196839.tif 000004
【図３】
0003196839.tif 000005
【図４】
0003196839.tif 000006
【図５】
0003196839.tif 000007
【図６】
0003196839.tif 000008
【図７】
0003196839.tif 000009
【図８】
0003196839.tif 000010
【図９】
0003196839.tif 000011
【手続補正書】
【提出日】平成27年2月5日(2015.2.5)
【手続補正１】
【補正対象書類名】実用新案登録請求の範囲
【補正対象項目名】全文
【補正方法】変更
【補正の内容】
【実用新案登録請求の範囲】
【請求項１】
磁気治療効果を生じるための磁石を備えている活動量計であって、前記活動量計は手首に装着するためのバンド本体を備えており、前記磁石は前記バンド本体に配設されていることを特徴とする活動量計。
【請求項２】
手首ないし前腕部に装着するバンド本体のほぼ中央に膨出部を形成し、当該膨出部に形成したキャビティ部内に、装着者の活動量を検出する加速度センサと、当該加速度センサから出力される加速度信号を演算処理する処理回路と、当該処理回路で演算処理して得たデータを表示する表示部を具備してなる電装部と、磁力線を発する磁石を配設したことを特徴とする活動量計。
【請求項３】
手首ないし前腕部に装着するバンド本体のほぼ中央に膨出部を形成し、当該膨出部に形成したキャビティ部内に、装着者の活動量を検出する加速度センサと、当該加速度センサから出力される加速度信号を演算処理すると共に、演算処理して得たデータを外部端末に送信する通信機能を付加した処理回路を具備してなる電装部と、磁力線を発する磁石を配設したことを特徴とする活動量計。
【請求項４】
バンド本体がシリコン樹脂によって一体に形成されている請求項１ないし請求項３の何れかに記載の活動量計。
【手続補正２】
【補正対象書類名】明細書
【補正対象項目名】全文
【補正方法】変更
【補正の内容】
【考案の詳細な説明】
【技術分野】
【０００１】
本考案は磁気治療効果を有する活動量計に関する。
【背景技術】
【０００２】
近年、中高年齢層を中心に健康管理を行うための歩数計を含めた活動量計が着目され、多彩な機能を搭載したものが既に市販されている。
【０００３】
一方、手首などに磁気を帯びた腕リングを装着して磁気治療効果をもたらす磁気治療腕リングが次に示す特許文献１に開示されている。
【先行技術文献】
【特許文献】
【０００４】
【特許文献１】実用新案登録第３０００１９６号公報
【考案の概要】
【考案が解決しようとする課題】
【０００５】
健康増進のため、日常生活において活動量計と磁気治療器とを忘れずに身体に携えることはなかなか難しいことである。また、活動量計と磁気治療器の両方を携えて日常生活を行うのは煩わしいといった側面もある。
本考案は上記課題を解決するため活動量計に磁気治療機能を付加し、磁気治療による健康増進とウオーキングなど日常の活動における健康管理を同時に行うことができる活動量計を提供することを目的とするものである。
【課題を解決するための手段】
【０００６】
上記課題を解決するため、本考案に係る活動量計は下記記載の構成を採用する。
【０００７】
すなわち、請求項１に係る考案は、磁気治療効果を生じるための磁石を備えている活動量計であって、前記活動量計は手首に装着するためのバンド本体を備えており、前記磁石は前記バンド本体に配設されていることを特徴とする活動量計である。
【０００８】
請求項２に係る考案は、手首ないし前腕部に装着するバンド本体のほぼ中央に膨出部を形成し、当該膨出部に形成したキャビティ部内に、装着者の活動量を検出する加速度センサと、当該加速度センサから出力される加速度信号を演算処理する処理回路と、当該処理回路で演算処理して得たデータを表示する表示部を具備してなる電装部と、磁力線を発する磁石を配設したことを特徴とする活動量計である。
【０００９】
また、請求項３に係る考案は、手首ないし前腕部に装着するバンド本体のほぼ中央に膨出部を形成し、当該膨出部に形成したキャビティ部内に、装着者の活動量を検出する加速度センサと、当該加速度センサから出力される加速度信号を演算処理すると共に、演算処理して得たデータを外部端末に送信する通信機能を付加した処理回路を具備してなる電装部と、磁力線を発する磁石を配設したことを特徴とする活動量計である。
【００１０】
さらに、請求項４に係る考案は、バンド本体がシリコン樹脂によって一体に形成されている請求項１ないし請求項３の何れかに記載の活動量計である。
ある。
【考案の効果】
【００１１】
上述のように、本考に係る活動量計によれば、活動量計と磁気治療器とを併せて身体に携えることが可能となり、磁気治療による健康増進とウオーキングにおける健康管理をともに行うことができる活動量計が実現する。
また、活動量計と磁気治療器の両方を別々に携え日常活動を行うといった煩わしさを解消することができる。
【図面の簡単な説明】
【００１２】
【図１】本考案に係る活動量計の一実施形態を示す外観図である。
【図２】図１に示す活動量計の構造を示す平面図である。
【図３】図１に示す活動量計の内部構造を示す断面図である。
【図４】図１に示す活動量計の使用状態を示す説明図である。
【図５】図１に示す活動量計の効果を示す説明図である。
【図６】本考案に係る活動量計の他の実施形態を示す外観図である。
【図７】図６に示す活動量計の構造を示す平面図である。
【図８】図６に示す活動量計の内部構造を示す断面図である。
【図９】本考案に係る活動量計のさらに他の実施形態を示す断面図である。
【考案を実施するための形態】
【００１３】
本考案は磁気治療効果を有する活動量計に関するものである。
以下に示す実施形態は、本考案の技術思想を具体化するための活動量計の一例を示すものであって、本考案は以下の説明及び図示したものに限定されないのは云うまでもない。特に、実施の形態に示されている構成要素の形状、相対的位置関係などは、特定的な記載がなされていない限り、本考案の範囲をそれのみに限定する趣旨ではなく、単なる説明例に過ぎない。また、各図が示す部材の大きさや位置関係などは説明を明確にするために誇張していることがある。
【００１４】
以下、図１〜図３を用いて本考案の第１実施形態における活動量計１の構造を詳述する。
図１は第１実施形態における活動量計１の外観図であり、図２は活動量計１の中央部分の平面図、図３は活動量計１の中央部分の断面図である。
【００１５】
図１に示すように、本考案に係る活動量計１は腕時計のような外観形態を有している。図中１０はシリコン樹脂で形成したバンド本体を示し、当該バンド本体１０のほば中央に形成した膨出部２５の表面側に歩数や消費カロリ（Ｋｃａｌ）を表示する表示部２１を備えている。なお、バンド本体１０の一方の端部には突起などからなる止め具１１が設けられており、バンド本体１０の他方の端部には、前記止め具１１を嵌入するためのバンド穴１２が形成されており、使用する者の手首などの太さに応じて留め位置を適宜選択する。このバンド本体１０の留め位置の調整手段は他の公知の係止手段に置き換えることができるのは勿論である。
【００１６】
次に、図２および図３を用いて活動量計１の構造を詳述する。図２および図３に示すように、活動量計１はバンド本体１０を備えており、バンド本体１０のほぼ中央には膨出部２５が設けられている。
当該膨出部２５には、キャビティ部Ｃと開口部Ｗとが設けられており、キャビティ部Ｃには、装着する者の活動を検出する加速度センサ２３、処理回路２２、表示部２１および電池２４とを備えた電装部２０が配設されていると共に、当該電装部２０とほぼ同型状をなす磁石３０が手首Ｌの側に位置するように、積層して収納してある。バンド本体１０はシリコン樹脂を材料としているので、シリコンの弾性によって電装部２０と磁石３０とはバンド１０のキャビティ部Ｃの内部に隙間なく保持される。
【００１７】
図３を用いて電装部２０および磁石３０について説明する。電装部２０は、人の運動量を測定する機能モジュールであって、加速度センサ２３から出力される加速度信号を処理回路２２で演算処理し、表示部２１にて歩数や消費カロリ（ｋｃａｌ）などを表示する。電池２４は電装部２０を駆動するためのボタン型電池である。また磁石３０は電装部２０全体とほぼ同型状の永久磁石であって、Ｎと示す面をＮ極に、Ｓと示す面をＳ極に、ほぼ１００ミリテスラの磁束密度を有するように磁化している。また本実施例では電装部２０および磁石３０の形状は何れも円盤状となっている。
【００１８】
次に、図４を用いて活動量計１の使用方法を説明する。図４は、活動量計１の使用方法の一例を示す外観図である。図４に示すように、使用者は、活動量計１を腕時計のようにバンド本体１０を前腕部Ｕないし手首Ｌに装着する。使用者は表示部２１によって歩数や消費カロリ（Ｋｃａｌ）を認識し、かつ表示部２１の裏面に配設した磁石（図示せず）で磁気治療効果を得ることができる。
【００１９】
図５を用いて活動量計１の効果を説明する。図５は本考案に係る活動量計１の効果を説明する断面図である。図５に示すように活動量計１を使用者の手首Ｌに装着すると、手首Ｌに磁石３０からの磁力線Ｍが作用し、一般に磁気治療として知られている効果が使用者にもたらされる。
使用者は、活動量計１を装着していれば歩数や消費カロリなどの測定結果と、磁気治療効果の両方を得ることができる。すなわち、いずれか一方の装着を失念するというトラブルを解消することができる。
【００２０】
次に、図６〜図８を用いて本考案の第２実施形態における活動量計２の構造を説明する。
図６は第２実施形態における活動量計２の外観図であり、図７は活動量計２における中央部分の平面図、図８は活動量計２の中央部分の内部構造を示す断面図である。この第２実施形態における活動量計２は、開口部Ｗの位置と磁石の配設位置と、電装部２０ａが表示部２１を備えていないという点で、第１実施形態における活動量計１と異なる。
【００２１】
図６に示すように、活動量計２は腕時計状の形状をなし、シリコ樹脂で形成したバンド本体１０を、止め具１１と、バンド穴１２とで手首などに装着する。
この第２実施形態における活動量計２は、処理回路２２ａによって演算処理された歩数や消費カロリ（Ｋｃａｌ）などのデータを表示する表示部が設けられておらず、歩数や消費カロリなどの活動量に関する測定結果は、後述する処理回路２２ａが備えた送信機能によって外部のパソコンや情報端末（図示せず）に送信され、当該情報端末などの表示部に表示されるようになっている。
【００２２】
図７および図８を用いて活動量計２の構造を詳述する。図７および図８に示すように、活動量計２はバンド本体１０を備えており、バンド本体１０の中央部に形成した膨出部２５にキャビティ部Ｃと開口部Ｗとが設けられている。なお、開口部Ｗは、第１実施形態における活動量計１の開口部Ｗの反対側、すなわち、手首などに接する側に設けられている。
【００２３】
図８に示すように、キャビティ部Ｃには、加速度センサ２３、当該加速度センサ２３から出力される加速度信号を演算処理する処理回路２２ａおよび電池２４とからなる電装部２０ａと、磁石３１および磁石３２とが収納されている。処理回路２２ａは歩数や消費カロリ（Ｋｃａｌ）などのデータを外部に送信する送信機能（図示せず）を有している。なお、通信手段は無線通信の国際規格であるＮＦＣ（Ｎｅａｒ  Ｆｉｅｌｄ  Ｃｏｍｍｕｎｉｃａｔｉｏｎ）に基づく非接触近距離通信技術が好適に用いられる。また、前記磁石３１および磁石３２は、何れもＮと示す面をＮ極に、Ｓと示す面をＳ極に、磁束密度ほぼ５０ミリテスラになるように磁化されている。
【００２４】
なお、この第２の実施形態における活動量計２においては、全体形状が円盤状をなす電装部２０ａの外周部に２個の永久磁石３１，３２を配設してあるが、当該磁石の数を４個あるいは６個以上に増やすことができるのは勿論である。
【００２５】
第２実施形態における活動量計２のその他の構造および使用方法ならびに効果については前記した第１実施形態における活動量計１とほぼ同等であるので、詳細な説明は省略する。
【００２６】
次に、図９を用いて本考案の第３実施形態における活動量計３の構造を説明する。図９は第３実施形態における活動量計３の断面図である。この第３実施形態における活動量計３は、磁石の配設位置が第２実施形態における活動量計２と異なる。
【００２７】
図９に示すように、バンド本体１０の膨出部２５に形成したキャビティ部Ｃ内には電装部２０ａのみ収納され、磁石３３および磁石３４は、バンド本体１０のキャビティ部Ｃから外れた部分に封入されている。
なお磁石の数をさらに増加し、バンド本体１０の他の領域に分布して収納させるようにすることも磁気治療効果を高める上できわめて有効である。
【００２８】
前記第３実施形態における活動量計３のその他の構造および使用方法ならびに効果については第１実施形態における活動量計１、あるいは第２実施形態における活動量計２とほぼ同等であるので、説明は省略する。
【００２９】
以上述べたように、本発明の第１〜第３実施形態における活動量計１〜３によれば、活動量計と磁気治療器とを同時に身体に携えることが可能となり、磁気治療による健康増進とウオーキングにおける健康管理をともに行うことができる活動量計が実現する。すなわち、いずれか一方の装着を失念するといったトラブルを解消することができる。
【符号の説明】
【００３０】
１，２，３：活動量計
１０：バンド本体
１１：止め具
１２：バンド穴
２０，２０ａ：電装部
２１：表示部
２２，２２ａ：処理回路
２３：加速度センサ
２４：電池
２５：膨出部
３０，３１，３２，３３，３４：磁石
Ｎ：Ｎ極
Ｓ：Ｓ極
Ｌ：手首
Ｕ：上腕部
Ｃ：キャビティ部
Ｗ：開口部
Ｍ：磁力線